(57)【特許請求の範囲】
【請求項１】
液透過性の表面シートと、液不透過性の裏面シートと、前記表面シートと前記裏面シートとの間に配された吸収体と、を備える吸収性物品であって、
前記吸収体には、前記表面シート側の面に複数の凹部が形成され、
前記吸収体の中央領域を挟む両端領域に位置する前記複数の凹部は、前記両端領域が対向する方向に延在する第１のパターンを形成し、
前記吸収体の中央領域に位置する前記複数の凹部は、前記両端領域が対向する方向と交差する方向に延在する複数の第２のパターンと、前記両端領域が対向する方向と交差する方向に延在し、前記第２のパターンと交差する方向に延在する複数の第３のパターンとを形成することを特徴とする吸収性物品。
【請求項２】
前記第２のパターンおよび前記第３のパターンの各々の少なくとも一端は、前記第１のパターンと連通されていることを特徴とする請求項１に記載の吸収性物品。
【請求項３】
前記第１のパターンは、相互に平行に延在することを特徴とする請求項１または２に記載の吸収性物品。
【請求項４】
前記第２のパターンと前記第３のパターンとは、直角に交わることを特徴とする請求項１ないし３のいずれか１項に記載の吸収性物品。
【発明の詳細な説明】
【技術分野】
【０００１】
本発明は、吸収性物品に関し、特に、吸収パッド（尿パッド）や使い捨ておむつに関する。
【背景技術】
【０００２】
近年、高吸水性樹脂（Super Absorbent Polymer、以下「ＳＡＰ」という。）や不織布を使用した、使い捨ておむつ等の吸収性物品の需要が拡大している。
【０００３】
使い捨ておむつ等の吸収性物品においては、さまざまな改良が行われ、その機能や着用感の向上が図られている。この吸収性物品に使用される吸収体は、尿などの液体を吸収および保持するため、主にフラッフ状パルプとＳＡＰとの混合体である吸収性コアと、この吸収性コアを包むティッシュなどのコア被覆材とで構成されている。
【０００４】
このような吸収性物品に対し、省資源化、物流コストの削減、小売店などでの収納効率の改善などの観点から、超薄型などと呼称される軽量かつコンパクトなものが要求され、これが主流になりつつある。このような超薄型の吸収性物品は、吸収性物品の重量および体積の大部分を占める吸収体の重量を下げ、かつコンパクトにすることで実現し得る。すなわち、フラッフ状パルプとＳＡＰとの混合体で構成された吸収体コアの薄型化は、ＳＡＰの相対含有率を高めたり、混合体に代えてシート状のＳＡＰを用いたりすることで実現化されている。
【０００５】
一方、吸収体におけるＳＡＰの含有率を高めるに従い、吸収体自体のしなやかさが失われる傾向を持つ。吸収性物品の着用者の股下領域には、着用者の動き、特に両脚の動きによって大きな捩じれ力が加わるため、吸収体のしなやかさが損なわれることは、吸収性物品の着用時における違和感の増大につながる。
【０００６】
そこで、吸収体の表面に斜め格子形状の圧縮溝を形成し、吸収体に加わる捩じれ力に追従して吸収体をこれら圧縮溝の部分から容易に屈曲するようにした技術が例えば特許文献１で提案されている。特許文献１の吸収体の構成により、着用者への追従性を高め、吸収体のしなやかさを保持することが可能となる。さらに、このような斜め格子形状により、吸収体表面での液体の拡散性を向上させることで、吸収体の利用効率を高め、かつコストの低減が想定される。
【先行技術文献】
【特許文献】
【０００７】
【特許文献１】特開２０１５−１６２１８号公報
【発明の概要】
【発明が解決しようとする課題】
【０００８】
しかしながら、特許文献１に記載されるような、斜め格子形状の吸収体は、プレス加工によって吸収体全体が硬くなるため、全体の剛性が高く、大きくねじることが難しくなる。したがって、着用時には吸収体に様々な原因によるねじれが生じるが、格子が吸収体全体に均一に並んでいるとパターンの向きが決まっていることにより、一定の方向にしか柔らかくならないという問題がある。
【０００９】
さらに、吸収体全体に斜め格子形状が形成されると、吸収体の延在方向の通気性が悪くなるという問題が考えられる。
【００１０】
本発明は、このような問題に鑑みてなされたもので、その目的とするところは、吸収体のしなやかさを向上させ、かつ、通気性のよい吸収性物品を提供することにある。
【課題を解決するための手段】
【００１１】
このような目的を達成するために、本発明の吸収性物品は、液透過性の表面シートと、液不透過性の裏面シートと、表面シートと裏面シートとの間に配された吸収体と、を備える吸収性物品であって、吸収体には、表面シート側の面に複数の凹部が形成され、吸収体の中央領域を挟む両端領域に位置する複数の凹部は、両端領域が対向する方向に延在する第１のパターンを形成し、吸収体の中央領域に位置する複数の凹部は、両端領域が対向する方向と交差する方向に延在する複数の第２のパターンと、第２のパターンと交差する方向に延在する複数の第３のパターンとを形成することを特徴とする。
【発明の効果】
【００１２】
以上説明したように、本発明によれば、吸収体のしなやかさを向上させ、かつ、通気性のよい吸収性物品を提供することができる。
【図面の簡単な説明】
【００１３】
【図１】本発明による吸収性物品をパンツ型使い捨ておむつに応用した一実施形態の外観を示す立体投影図である。
【図２】図１に示したおむつを展開し、肌当接面側から見た部分破断平面図である。
【図３】図２に示したおむつをＩＩＩ−ＩＩＩ線で切断した断面図である。
【図４】図１に示したおむつを展開し、分解した分解斜視図である。
【図５】第１の実施形態における図１に示したおむつの吸収体部分をトップシート側から見た部分上面図である。
【図６】図５における斜め格子状のエンボスパターン部分を示す模式的部分平面図である。
【図７】図５の吸収体部分のＶＩＩ−ＶＩＩ線での断面図である。
【図８】第２の実施形態におけるエンボスパターンの例を示す模式的上面図である。
【図９】第３の実施形態におけるエンボスパターンの例を示す模式的上面図である。
【図１０】第４の実施形態におけるエンボスパターンの例を示す模式的上面図である。
【発明を実施するための形態】
【００１４】
本発明による吸収性物品の実施形態について、図１から図１０を参照しながら詳細に説明する。
【００１５】
［第１の実施形態］
本発明をパンツ型使い捨ておむつに応用した第１の実施形態の外観において、正面側から見た斜視図を図１に示す。図１に示すおむつを展開し、肌当接面側から見た平面図を図２に示す。図２のＩＩＩ−ＩＩＩ線破断断面図を図３に示し、図１、図２に示すパンツ型使い捨ておむつを展開した分割状態にて図４に示す。
【００１６】
おむつ１０は、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部股下領域１０Ｃとで着用者の両脚の太股部分を取り囲む左右一対の脚周り開口部１０Ｌが形成されている。そして、左右の脚周り開口部１０Ｌを除いて、カバーシート１１の左右両側縁部を閉じ合わせ部１０Ｊで示すように閉じ合わせてパンツ型のおむつとなる。
【００１７】
着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００１８】
仮想線Ｐは、おむつ中央部において腹側から背側に向かって、股下部分を通って延びるものである。具体的には、仮想線Ｐは、例えば、おむつのウエスト側を上、股下側を下とすると、おむつ表面に沿って、かつ上下方向に延びると共に、股下部分を経由して、背側においても上下方向に延びるものである。言い換えれば、この上下方向とは、着用者の頭から股下への体の中心軸に沿う方向であり、仮想線Ｐは、体の中心軸に沿って延びるものである。
【００１９】
図２ないし図４に示されるように、本実施形態におけるおむつ１０は、着用者の肌側から見て、外側から順にカバーシート１１と、液不透過性のバックシート１２と、親水性の薄いシートであるコアラップ（ティシュ）１５で包まれた吸収体１３と、着用者の肌に触れる液透過性のトップシート１４とを順に重ねて接合したものである。なお、バックシート１２、コアラップ１５で包まれた吸収体１３およびトップシート１４で、下着等に取り付けて液体を吸収する吸収性物品を形成することもできる。
【００２０】
カバーシート１１は、良好な手触りを得るために薄い不織布で形成され、バックシート１２に接合されている。また、カバーシート１１の幅方向の左右両側縁部の中央には、それぞれ図１の脚周り開口部１０Ｌとなる半円弧状をなす一対の切欠き部１１Ａが形成されている。
【００２１】
バックシート１２は、その長手方向が仮想線Ｐと略平行となる方向であって、その幅方向の中央またはその付近を仮想線Ｐが通る位置となるようにカバーシート１１上に接合される。
【００２２】
本実施形態の吸収体１３は、細長い形状であり、その形状を保持するために、例えば、端部同士が糊づけで接合された親水性の薄いシートであるコアラップ１５（ティシュ）で包まれている。コアラップ１５で包まれた吸収体１３は、バックシート１２とトップシート１４との間に配される。本実施形態のトップシート１４は、コアラップ１５で包まれた吸収体１３を介してバックシート１２に接合される。なお、本実施形態では、コアラップ１５で包まれた吸収体１３を用いているが、本発明における吸収体は、コアラップで包まれていなくてもよい。
【００２３】
カバーシート１１の一対の切欠き部１１Ａに隣接した位置およびカバーシート１１の長手方向の両端部には、脚周りギャザーを形成するための糸ゴム１６とウエスト周りギャザーを形成するための糸ゴム１７とがそれぞれ伸長状態で接合されている。
【００２４】
トップシート１４の幅方向の左右両側縁部には、立体ギャザーを形成する一対のサイドシート１８が備えられている。一対のサイドシート１８は、外側端縁部がカバーシート１１の一対の切欠き部１１Ａと同様の形状に形成されている、着用時に吸収体１３の左右両側縁部に沿って起立し、着用者が排泄した尿の横漏れを防止するための部材である。サイドシート１８のそれぞれには、その内側端縁部を吸収体１３側に折り返して把持させる形で立体ギャザー伸縮材としての糸ゴム１９が伸張状態で配置され、糸ゴム１９が収縮した際に、着用者の肌当接方向に向かって立ち上がる。立体ギャザーは従来の使い捨ておむつに用いられている公知の構成を採用することができる。例えば、撥水性シートの層間に伸張状態の立体ギャザー伸縮材を挟み込んで固定することにより、形成することができる。
【００２５】
図２に示されるように、サイドシート１８は糸ゴム１９の伸縮によって、長手方向に引き寄せられる。そして、図３に示されるように、内側端縁部が立ち上がった立体ギャザーとなる。
【００２６】
なお、本実施形態におけるおむつ１０は、吸収体１３が仮想線Ｐに沿って長くなるものであり、その長手方向は仮想線Ｐに平行である。そして、仮想線Ｐに対して直交する方向を幅方向とする。なお、おむつの長手方向と幅方向の比率は本実施形態に限定されない。着用者の体型に応じてこの比率は適宜変更されるものである。
【００２７】
次に本実施形態における吸収体部分の構造を説明する。
【００２８】
図５は、吸収体１３およびトップシート１４が位置する部分を、トップシート１４側から見た部分上面図である。
【００２９】
トップシート１４の下に位置する本実施形態の吸収体１３は、主にパルプと高吸水性樹脂（Super Absorbent Polymer、以下「ＳＡＰ」という。）とからなるものである。吸収体１３は、おむつ１０の前身頃、股下、後身頃にわたるように、細長い形状をしている。そして、前身頃部分Ｍ１、股下部分Ｍ２、後身頃部分Ｍ３に三区分されている。股下部分Ｍ２には、両脚の太股部分を取り囲む左右一対の脚周り開口部１０Ｌに合わせて、円弧状をなす一対の切欠き部１３ａが形成されている。なお、この切欠き部１３ａは、吸収体１３の大きさに応じて形成しなくてもよい。また、本実施形態の吸収体１３は、切欠き部１３ａが設けられており、中央部の幅が前後端に比べて狭い砂時計型のものであるが、本発明の吸収体の形状はこれに限らない。前身頃部分Ｍ１から後身頃部分Ｍ３を前後（上下）方向とし、それに直交する方向を左右方向とすると、例えば、前後（上下）端の角が丸く落とされているもの、前後（上下）に延びる楕円形のもの、円形のもの、前後（上下）左右の長さが同程度の矩形のものなど、さまざまな形状を含む。
【００３０】
ここで、本発明の吸収体１３の中央領域とは、例えば排尿などの液体と最初に接触する領域およびその付近の領域のことをいう。なお、吸収体１３の中央領域は、吸収性物品の着用者の体格や性別等によって変化させることが可能である。
【００３１】
次に、本実施形態におけるトップシート１４から吸収体１３に向かって形成されるエンボス加工の形態について説明する。
【００３２】
図５および図６に示されるように、おむつ１０は、トップシート１４の表面から吸収体１３に向かって規則的なエンボス加工による圧縮を施した圧縮列形成領域（エンボスパターン形成領域）Ｎ１を有する。圧縮列形成領域Ｎ１には、圧縮による複数の凹部２１が形成されている。圧縮列形成領域Ｎ１の前身頃部分Ｍ１および後身頃部分Ｍ３には、その凹部２１の並びによって遠視的に吸収体の長手方向に延在する直線状のパターン（第１のパターン）となる複数の圧縮列２２が形成されている。また、圧縮列形成領域Ｎ１の股下部分Ｍ２には、その凹部２１の並びによって遠視的に斜め格子状のパターン（第２のパターンおよび第３のパターン）となる複数の圧縮列２２が形成されている。
【００３３】
図６に示されるように、圧縮列２２は複数の凹部２１が一定間隔をあけて並ぶことによって形成されている。そして、圧縮列２２は、前身頃部分Ｍ１および後身頃部分Ｍ３に形成された第１圧縮列２２ａ（第１のパターン）と、股下部分Ｍ２に形成された第２圧縮列２２ｂ（第２のパターン）および第３圧縮列２２ｃ（第３のパターン）と、に分ける。
【００３４】
第１圧縮列２２ａは、吸収体１３の中央領域を挟む両端領域が対向する方向である、図５中の仮想線Ｐと平行な上下方向に延在する。複数の第１圧縮列２２ａは、相互に平行に配列されている。一方、第２圧縮列２２ｂは、仮想線Ｐに対して、第２の方向である図５中の右方向に傾斜角度α１で傾斜する。また、第３圧縮列２２ｃは、仮想線Ｐに対して、第３の方向である図５中の左方向に傾斜角度β１で傾斜する。本実施形態では、第２圧縮列２２ｂと第３圧縮列２２ｃとのなす角（α１＋β１）は直角となる９０°であり、傾斜角度α１とβ１は同じ角度であるが、本発明はこれに限らない。なお、図には示されていないが、凹部２１は、トップシート１４の表面から、コアラップ、吸収体１３を共に圧縮して形成されている。
【００３５】
本実施形態では、股下部分Ｍ２の圧縮列２２を斜め格子状に配置することにより、脚の前後の動きによって、吸収体１３がよれるのを防止することができる。すなわち、第２圧縮列２２ｂと第３圧縮列２２ｃとを設けることによって、脚の前後運動によって、斜め方向に加わる力に対して吸収体１３は各圧縮列２２に沿って変形するため、吸収体１３がよれることを抑制できる。また、股下部分Ｍ２の圧縮列２２によって、吸収体１３の剛性が増し、脚の動きによる斜め方向の引っ張り力に対して、吸収体１３が切れることを抑制できる。
【００３６】
さらに、本実施形態では、前身頃部分Ｍ１および後身頃部分Ｍ３の圧縮列２２を直線状に配置することにより、おむつ１０の着用者の背側または腹側に位置するウエスト部分から内部の空気（湿気）を外に逃がしやすく、かつ外気を取り込みやすくなる。このため、おむつ１０の内部と外部との空気の移動を容易にし、おむつ１０の通気性を向上させることができる。また、上記のように圧縮列２２を直線状に配置することにより、吸収体１３がおむつ１０のウエスト部分の形態に追従することから、着用者のフィット性を向上させることができる。
【００３７】
図７に示されるように、複数の凹部２１は、トップシート１４と吸収体１３との間に接着剤を介在させて、トップシート１４と吸収体１３とが共に圧縮して形成されたものである。このように、トップシート１４の表面からトップシート１４と吸収体１３とを圧縮することにより、着座等の着用者の体重が加わる状態においても、凹部２１はその形状を維持し、圧縮列２２がへたらない。よって、本実施形態のおむつ１０は、この圧縮列２２を利用して、体液を拡散し、また通気を維持することができる。
【００３８】
なお、図５に示されるように、圧縮列２２（エンボスパターン）は、吸収体１３の幅方向の左右両側縁部には形成されていない。したがって、吸収体１３は圧縮列形成領域（エンボスパターン形成領域）Ｎ１の両側に、圧縮列非形成領域（エンボスパターン非形成領域）Ｎ２が位置するものである。これは、圧縮列２２を伝って、体液が脚周り開口部１０Ｌから漏れることを防ぐためである。同様に、吸収体１３の長手方向の両端部にも圧縮列２２ａが形成されていない。これにより、圧縮列２２ａを伝って、腹側や背側などのウエスト周り開口部１０Ｗから体液が漏れるのを防ぐことができる。
【００３９】
図５に示されるように、複数の第１圧縮列２２ａは、相互に平行に配置されている。同様に、複数の第２圧縮列２２ｂは相互に平行に配置され、複数の第３圧縮列２２ｃは相互に平行に配置されている。また、前身頃部分Ｍ１および後身頃部分Ｍ３に配置された第１圧縮列２２ａ（第１のパターン）の中央領域（股下部分Ｍ２）側の端部は、第２圧縮列２２ｂ（第２のパターン）または第３圧縮列２２ｃ（第３のパターン）と連通されている。しかしながら、隣接する圧縮列間の間隔は均等ではなく、股下部分Ｍ２の第２圧縮列２２ｂ間の間隔Ｓ２は、前身頃部分Ｍ１および後身頃部分Ｍ３における間隔Ｓ１に比べて、２倍となっている。同じく、第３圧縮列２２ｃについても、股下部分Ｍ２の間隔Ｓ３は、前身頃部分Ｍ１および後身頃部分Ｍ３における間隔Ｓ１の２倍となっている。ただし、間隔Ｓ１と間隔Ｓ２およびＳ３との比率の関係は、本実施形態に限らない。
【００４０】
凹部２１とこれが連なることによって形成される圧縮列２２においては、底面では液を吸い込まず、多くの液は列内を流れ走り、一部が凹部２１の側壁などから吸収されることとなる。一方、圧縮列２２で取り囲まれた主吸収領域２５は、吸収体１３が圧縮されていないため、液を十分に吸収することができる。
【００４１】
図５に示されるエンボスパターンに関する各部位の大きさは次の通りである。
【００４２】
図７に示されるように、トップシート１４と吸収体１３における主吸収領域２５等の非圧縮部分の厚さＬ４は、約４ｍｍである。厚さＬ４は、２ｍｍ〜６ｍｍの範囲が好ましい。そして、凹部２１の最も深い部分の深さＬ５は、約３ｍｍである。深さＬ５は、１ｍｍ〜５ｍｍ程度が好ましい。
【００４３】
そして、図６に示されるように、圧縮列２２を形成する凹部２１の隣接する凹部２１間の間隔Ｌ１は、約２ｍｍである。間隔Ｌ１は、１ｍｍ〜５ｍｍの範囲が好ましい。そして、凹部２１一つの長さＬ２は、約２．４ｍｍである。長さＬ２は、１ｍｍ〜５０ｍｍの範囲が好ましい。また凹部の幅Ｌ３は、約２ｍｍである。幅Ｌ３は、１ｍｍ〜５ｍｍの範囲が好ましい。図５、図６において、凹部２１は平行四辺形としたが、本発明はこれに限らず、円形、楕円形、三角形など様々な形を適用することができる。
【００４４】
図５に示されるように、前身頃部分Ｍ１および後身頃部分Ｍ３における第１圧縮列２２ａの配置間隔Ｓ１は、１０ｍｍである。配置間隔Ｓ１は、５ｍｍ〜２５ｍｍが望ましい。股下部分Ｍ２における第２圧縮列２２ｂの配置間隔Ｓ２および第３圧縮列２２ｃの配置間隔Ｓ３は、４０ｍｍである。配置間隔Ｓ２およびＳ３は、３０ｍｍ〜５０ｍｍが望ましい。本実施形態では、配置間隔Ｓ２およびＳ３は同じとしたが、異なる値であってもよい。
【００４５】
エンボスパターンの形態は、図５の形に限らず、前身頃部分Ｍ１および後身頃部分Ｍ３と、股下部分Ｍ２とで、圧縮列２２の配置の関係が満たされていれば、圧縮列２２の傾斜が異なるものであってもよい。
【００４６】
このように、本実施形態の吸収体１３は、前身頃部分Ｍ１および後身頃部分Ｍ３では、第１圧縮列２２ａを吸収体１３の長手方向に配列させ、股下部分Ｍ２では、斜め格子形状に第２圧縮列２２ｂおよび第３圧縮列２２ｃを配列させている。これにより、股下部分Ｍ２では、吸収体１３の型崩れを防止して着用感を高めるとともに、前身頃部分Ｍ１および後身頃部分Ｍ３と、股下部分Ｍ２とで、圧縮列２２の傾斜角度を変化させているため、様々なねじれに対応することができる。さらに、前身頃部分Ｍ１および後身頃部分Ｍ３の圧縮列２２を直線状に配置することにより、おむつ１０の着用者の背側または腹側に位置するウエスト部分から内部の空気（湿気）を外に逃がしやすく、かつ外気を取り込みやすくなるので、おむつ１０の内部と外部との空気の移動を容易にし、おむつ１０の通気性を向上させることができる。
【００４７】
［第２の実施形態］
図８は、本発明の実施形態２に係る使い捨ておむつ１０の吸収体１３のトップシート１４側の面を上とした上面図である。本実施形態の吸収体１３の形状が実施形態１の吸収体１３の形状と相違する一つ目の点は、実施形態１の第１圧縮列２２ａの間隔Ｓ１に比べて、本実施形態の第１圧縮列２２ａ１の間隔Ａが広い点である。また、相違する二つ目の点は、実施形態１の第２圧縮列２２ｂの間隔Ｓ２および第３圧縮列２２ｃの間隔Ｓ３に比べて、本実施形態の第２圧縮列２２ｂ１および第３圧縮列２２ｃ１の間隔Ｂが狭い点である。
【００４８】
図８に示すように、股下部分Ｍ２における第２圧縮列２２ｂ１および第３圧縮列２２ｃ１の仮想線Ｐに対する傾斜角度α１およびβ１は、実施形態１の傾斜角度α１およびβ２と同じであるが、異なる値であってもよい。また、股下部分Ｍ２における第２圧縮列２２ｂ１および第３圧縮列２２ｃ１で取り囲まれる吸収領域（非圧縮領域）２５ａの面積は、実施形態１の股下部分Ｍ２における吸収領域（非圧縮領域）２５の面積よりも狭いが、広くてもよく、同じ大きさの面積であってもよい。
【００４９】
さらに、図８に示すように、前身頃部分Ｍ１および後身頃部分Ｍ３における第１圧縮列２２ａ１の配置間隔Ａは、４０ｍｍである。配置間隔Ａは、５ｍｍ〜５０ｍｍが望ましい。股下部分Ｍ２における第２圧縮列２２ｂ１および第３圧縮列２２ｃ１の配置間隔Ｂは、２５ｍｍである。配置間隔Ｂは、１０ｍｍ〜４０ｍｍが望ましい。本実施形態では、第２圧縮列２２ｂ１および第３圧縮列２２ｃ１の配置間隔は同じとしたが、異なる値であってもよい。
【００５０】
本実施形態の吸収体１３は、第２圧縮列２２ｂ１および第３圧縮列２２ｃ１が格子形状を形成し、前身頃部分Ｍ１および後身頃部分Ｍ３の第１圧縮列２２ａ１が直線形状を形成していれば、実施形態１の吸収体１３と同様の効果を得られる。
【００５１】
さらに、実施形態１と同様に、本実施形態の吸収体１３は、上記構成により周辺部に圧縮列２２が形成されていないので、脚周り開口部１０Ｌおよびウエスト周り開口部１０Ｗから体液が漏れるのを防ぐことができる。
【００５２】
［第３の実施形態］
図９は、本発明の実施形態３に係る使い捨ておむつ１０の吸収体１３のトップシート１４側の面を上とした上面図である。本実施形態の吸収体１３の形状が実施形態１および２の吸収体１３の形状と相違する点は、第１圧縮列２２ａが仮想線Ｐに対して傾斜角度α２およびβ２で傾き、吸収体１３の長手方向両端部に向かうにつれて第１圧縮列２２ａ２の間隔Ｃが広くなっている点である。
【００５３】
なお、本実施形態の第２圧縮列２２ｂ２および第３圧縮列２２ｃ２の間隔Ｂは、実施形態２と同様に、実施形態１の第２圧縮列２２ｂの間隔Ｓ２および第３圧縮列２２ｃの間隔Ｓ３に比べて、狭い。
【００５４】
図９に示すように、股下部分Ｍ２における第２圧縮列２２ｂ２および第３圧縮列２２ｃ２の仮想線Ｐに対する傾斜角度α１およびβ１は、実施形態１および２の傾斜角度α１およびβ２と同じであるが、異なる値であってもよい。また、股下部分Ｍ２における圧縮列２２ｂ２および２２ｃ２で取り囲まれる吸収領域（非圧縮領域）２５ｂの面積は、実施形態２の股下部分Ｍ２における吸収領域（非圧縮領域）２５ａの面積と同じであるが、異なる大きさであってもよい。さらに、図９に示すように、第１圧縮列２２ａ２の仮想線Ｐに対する傾斜角度α２およびβ２は、８°である。傾斜角度α２およびβ２は、２°〜１５°が望ましい。
【００５５】
前身頃部分Ｍ１および後身頃部分Ｍ３における第１圧縮列２２ａ２の股下部分Ｍ２付近の配置間隔Ｃ１は１７ｍｍであり、吸収体１３の長手方向両端部付近の配置間隔Ｃ２は２８ｍｍである。配置間隔Ｃ（Ｃ１およびＣ２）は、１０ｍｍ〜４０ｍｍが望ましい。なお、本実施形態では、配置間隔Ｃ１が配置間隔Ｃ２よりも狭く形成されているが、等しい間隔または広い間隔に形成されてもよい。
【００５６】
股下部分Ｍ２における第２圧縮列２２ｂ２および第３圧縮列２２ｃ２の配置間隔Ｂは、実施形態２と同様に、２５ｍｍである。配置間隔Ｂは、１０ｍｍ〜４０ｍｍが望ましい。本実施形態では、傾斜角度α２およびβ２は同じ値としたが、異なる値であってもよい。また、本実施形態では、第２圧縮列２２ｂ２および第３圧縮列２２ｃ２の配置間隔Ｂは同じ値としたが、異なる値であってもよい。
【００５７】
本実施形態の吸収体１３は、第２圧縮列２２ｂ２および第３圧縮列２２ｃ２が格子形状を形成し、前身頃部分Ｍ１および後身頃部分Ｍ３の第１圧縮列２２ａ２が直線形状を形成していれば、実施形態１の吸収体１３と同様の効果を得られる。
【００５８】
さらに、実施形態１および２と同様に、本実施形態の吸収体１３は、上記構成により周辺部に圧縮列２２が形成されていないので、脚周り開口部１０Ｌおよびウエスト周り開口部１０Ｗから体液が漏れるのを防ぐことができる。
【００５９】
［第４の実施形態］
図１０は、本発明の実施形態４に係る使い捨ておむつ１０の吸収体１３のトップシート１４側の面を上とした上面図である。本実施形態の吸収体１３の形状が実施形態１ないし３の吸収体１３の形状と相違する一つ目の点は、第１圧縮列２２ａ３が仮想線Ｐに対して傾斜角度α３およびβ３で傾き、吸収体１３の長手方向両端部に向かうにつれて第１圧縮列２２ａ３の間隔Ｄが広くなっている点である。また、相違する二つ目の点は、第２圧縮列２２ｂ３および第３圧縮列２２ｃ３が仮想線Ｐに対して、傾斜角度α１およびβ１よりも小さい傾斜角度α４およびβ４で傾き、略菱形を形成している点である。
【００６０】
図１０に示すように、第１圧縮列２２ａ３の仮想線Ｐに対する傾斜角度α３およびβ３は、第２圧縮列２２ｂ３および第３圧縮列２２ｃ３の仮想線Ｐに対する傾斜角度α４およびβ４よりも小さい値であるが、大きい値または同じ値であってもよい。また、股下部分Ｍ２における圧縮列２２ｂ３および２２ｃ３で取り囲まれる吸収領域（非圧縮領域）２５ｃの形状は、実施形態１ないし３の股下部分Ｍ２における吸収領域（非圧縮領域）２５、２５ａおよび２５ｂの形状と比べて、吸収体１３の長手方向に縦長になっている。
【００６１】
ここで、第１圧縮列２２ａ３の仮想線Ｐに対する傾斜角度α３およびβ３は、６°である。傾斜角度α３およびβ３は、２°〜１０°が望ましい。また、第２圧縮列２２ｂ３および第３圧縮列２２ｃ３の仮想線Ｐに対する傾斜角度α４およびβ４は、１２°である。傾斜角度α４およびβ４は、２°〜２０°が望ましい。
【００６２】
前身頃部分Ｍ１および後身頃部分Ｍ３における第１圧縮列２２ａ３の股下部分Ｍ２付近の配置間隔Ｄ１は１８ｍｍであり、吸収体１３の長手方向両端部付近の配置間隔Ｄ２は２７ｍｍである。配置間隔Ｄ（Ｄ１およびＤ２）は、１０ｍｍ〜３０ｍｍが望ましい。なお、本実施形態では、配置間隔Ｄ１が配置間隔Ｄ２よりも狭く形成されているが、等しい間隔または広い間隔に形成されてもよい。
【００６３】
股下部分Ｍ２における第２圧縮列２２ｂ３および第３圧縮列２２ｃ３の配置間隔Ｅは、２２ｍｍである。配置間隔Ｅは、１５ｍｍ〜３０ｍｍが望ましい。本実施形態では、傾斜角度α３およびβ３は同じ値としたが、異なる値であってもよい。同様に、傾斜角度α４およびβ４は同じ値としたが、異なる値であってもよい。また、本実施形態では、第２圧縮列２２ｂ３および第３圧縮列２２ｃ３の配置間隔Ｅは同じ値としたが、異なる値であってもよい。
【００６４】
本実施形態の吸収体１３は、第２圧縮列２２ｂ３および第３圧縮列２２ｃ３が格子形状を形成し、前身頃部分Ｍ１および後身頃部分Ｍ３の第１圧縮列２２ａ３が直線形状を形成していれば、実施形態１の吸収体１３と同様の効果を得られる。
【００６５】
さらに、実施形態１ないし３と同様に、本実施形態の吸収体１３は、上記構成により周辺部に圧縮列２２が形成されていないので、脚周り開口部１０Ｌおよびウエスト周り開口部１０Ｗから体液が漏れるのを防ぐことができる。
【００６６】
本実施形態の使い捨ておむつは、大人用、子供用のいずれにも適用可能である。また、本実施形態では、パンツ型おむつを例にして説明したが、展開型おむつ（いわゆるテープ型おむつ）にも適用可能であるのはいうまでもない。また、本発明の吸収性物品はおむつのみに特定されるものではなく、吸収パッド等、他の一般的な吸収性物品全般に適用されるものである。
【符号の説明】
【００６７】
１０  使い捨ておむつ
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１ａ  切欠き部
１２  バックシート（裏面シート）
１３  吸収体
１４  トップシート（表面シート）
１５  コアラップ
１６  糸ゴム（脚周り糸ゴム）
１７  糸ゴム（ウエスト周り糸ゴム）
１８  サイドシート
１９  糸ゴム（立体ギャザー伸縮材）
２１  凹部
２２  圧縮列
２２ａ  第１圧縮列
２２ｂ  第２圧縮列
２２ｃ  第３圧縮列
２５  主吸収領域（非圧縮領域）
Ｌ１  圧縮列における隣接凹部間の前後間隔
Ｌ２  圧縮列における凹部の長さ
Ｌ３  圧縮列における凹部の幅
Ｓ１、Ａ、Ｃ１、Ｃ２、Ｄ１、Ｄ２  複数の第１圧縮列の形成間隔
Ｓ２、Ｓ３、Ｂ、Ｅ  複数の第２圧縮列または第３圧縮列の形成間隔
【図１】
0006439651.tif 000002
【図２】
0006439651.tif 000003
【図３】
0006439651.tif 000004
【図４】
0006439651.tif 000005
【図５】
0006439651.tif 000006
【図６】
0006439651.tif 000007
【図７】
0006439651.tif 000008
【図８】
0006439651.tif 000009
【図９】
0006439651.tif 000010
【図１０】
0006439651.tif 000011